(57)【要約】【課題】本発明は、少ない部品点数でキートップを水平状態で上下動させることが可能な低コストのキーボードスイッチを提供すること。【解決手段】本発明は、上方支持部３ｃがキートップ２に回動自在に支持されると共に下方支持部３ｄがベースプレート８にスライド自在に支持される第１リンク部材３と、上方支持部４ｃがキートップ２にスライド自在に支持されると共に下方支持部４ｄがベースプレート８に回動自在に支持される第２リンク部材４と、第１、第２リンク部材３、４のそれぞれの中間支持部３ｅ、４ｅを支持して連結する第３リンク部材５と、第１リンク部材３の中間支持部３ｅに上方支持部９ｂが回動自在に連結されると共に下方支持部９ｃがベースプレート８に回動自在に支持される第４リンク部材９とからなることを特徴とする。【選択図】        図２
2004281139.tif 000002
【特許請求の範囲】
【請求項１】
キートップと、このキートップと対向する側に絶縁性のフィルムシートを介して配設されたベースプレートと、前記キートップを前記ベースプレートから所定高さの位置に弾性付勢する弾性部材と、前記キートップを前記ベースプレートに対して昇降自在に支持可能な複数のリンク部材と、前記フィルムシートに形成したスイッチ回路とを備え、
前記複数のリンク部材は、一端部が前記キートップに回動自在に支持されると共に他端部が前記ベースプレートにスライド自在に支持される第１リンク部材と、一端部が前記キートップにスライド自在に支持されると共に他端部が前記ベースプレートに回動自在に支持される第２リンク部材と、前記第１、第２リンク部材のそれぞれの中点を連結する第３リンク部材と、前記第１リンク部材の中点に一端部が回動自在に支持されると共に他端部が前記ベースプレートに回動自在に支持される第４リンク部材とからなることを特徴とするキーボードスイッチ。
【請求項２】
前記第１、第２リンク部材は、前記一端部から前記他端部までの長さ寸法が同じに形成され、前記キートップに支持されるそれぞれの一端部間の寸法が、前記ベースプレートに支持されるそれぞれの他端部間の寸法より広く形成されていることを特徴とする請求項１記載のキーボードスイッチ。
【請求項３】
前記第３リンク部材の長さ寸法は、前記第１または第２リンク部材と同等以上に形成され、前記第４リンク部材の長さ寸法は、前記第１リンク部材の１／２に形成されていることを特徴とする請求項１記載のキーボードスイッチ。
【請求項４】
前記第１、第２リンク部材部材には、それぞれの前記中点から外方に突出させて、前記第３リンク部材を支持可能な中間支持部がそれぞれ形成されていることを特徴とする請求項１乃至３のいずれかに記載のキーボードスイッチ。
【請求項５】
キートップと、このキートップと対向する側に絶縁性のフィルムシートを介して配設されたベースプレートと、前記キートップを前記ベースプレートから所定高さの位置に弾性付勢する弾性部材と、前記キートップを前記ベースプレートに対して昇降自在に支持可能な複数のリンク部材と、前記フィルムシートに形成したスイッチ回路とを備え、
前記複数のリンク部材は、一端部が前記キートップに回動自在に支持されると共に他端部が前記ベースプレートにスライド自在に支持される第１リンク部材と、一端部が前記キートップ側に回動自在に支持されると共に他端部が前記ベースプレート側にスライド自在に支持される第２リンク部材と、前記第１、第２リンク部材のそれぞれの中点を連結する第３リンク部材と、前記第１リンク部材の中点に一端部が回動自在に連結されると共に他端部が前記ベースプレートに回動自在に支持される第４リンク部材とからなり、
前記第１、第２リンク部材は、前記キートップ側に支持されるそれぞれの一端部間の寸法が、ぞれそれの他端部間の寸法と同じに形成されていることを特徴とするキーボードスイッチ。
【請求項６】
前記第１、第２リンク部材は、前記一端部から前記他端部までの長さ寸法が同じに形成され、前記キートップ側に支持されるそれぞれの一端部間の寸法が、前記ベースプレートに支持されるそれぞれの他端部間の寸法と同じに形成されていることを特徴とする請求項５記載のキーボードスイッチ。
【発明の詳細な説明】
【０００１】
【発明の属する技術分野】
本発明はキーボードスイッチに係わり、特にキートップを複数のリンク部材で支持したキーボードスイッチに関する。
【０００２】
【従来の技術】
従来のキーボードスイッチを図１７に基づいて説明すると、従来のキーボードスイッチ２１は、上部にキートップ２２が配設され、このキートップ２２裏面には、下方に向けて立設する２本の支持棒からなる軸支持部２２ａが左右に形成されている。この軸支持部２２ａは、図１７に示すキートップ２２の前後にも形成されて、合計４箇所に形成されている。
また、キートップ２２裏面の略中央部に形成された凹部２２ｂには、コイルスプリング２３が係止されている。
【０００３】
そして、キートップ２２の軸支持部２２ａに第１リンク部材２４、２４の上部支持軸２４ａ、２４ａが回動自在に軸支され、第１リンク部材２４、２４の下部支持部２４ｂ、２４ｂが連結部材２５の軸部２５ａに回動自在に支持されている。
また、連結部材２５の軸部２５ａには、第２リンク材２６、２６の上部回動支持部２６ａ、２６ａに回動自在に支持され、この第２リンク部材１６、２６は、下部支持軸２６ａ、２６ａがベースプレート２７の軸支持部２７ａに回動自在に支持されて、第１、第２リンク部材２４、２６が側面視略く字状になっている。
【０００４】
また、連結部材２５に連結された左右一対の第１、第２リンク部材２４、２６は、手前側と奥側（図示せず）にも対向して、合計４個が配設されている。
そして、手前側と奥側の第１リンク部材２４の支持軸２４ａには、同一歯数の平歯車（図示せず）が軸支されて互いに噛み合っている。
そして、キートップ２２を押圧操作すると、平歯車が互いに噛み合っている手前側と奥側の第１、第２リンク部材２４、２６が互いに同期して動くと共に、連結部材２５で連結されている左右の第１、第２リンク部材２４、２６も互いに同期して動くようになっている。
【０００５】
そのために、キートップ２２を押圧操作する部分が片寄ったとしても、キートップ２２は、水平状態で上下動するようになっている。
また、コイルスプリング２３は、下端部がラバースプウリング２８上に位置し、キートップ２２を押圧操作すると、内部が空洞状に形成されたラバースプリング２８が弾性変形するようになっている。
また、ラバースプリング２８は、ベースプレート２９上に配設されたスイッチ回路（図示せず）が形成されたメンブレンシート３０上に載置されている。
【０００６】
このような従来のキーボードスイッチ２１の操作は、まずキートップ２２を押圧操作すると、第１、第２リンク部材２４、２６が、くの字を折り畳むように、それぞれ互いに同期して動いてキートップ２２が降下する。このことにより、コイルスプリング２３に押圧されてラバースプリング２８が弾性変形し、メンブレンシート３０に形成したスイッチ回路が切り換わるようになっている。
【０００７】
【特許文献１】
実開平６−２５２７号公報
【０００８】
【発明が解決しようとする課題】
しかし、従来のキーボードスイッチ２１は、第１、第２リンク部材２４、２６が、図示左右および手前側と奥側の４箇所に配設すると共に、平歯車（図示せず）等を用いてキートップ２２を水平状態で上下動させていたために、部品点数が多くなりコストアップになる問題があった。
本発明のキーボードスイッチは、前述したような問題点に鑑みてなされたもので、少ない部品点数でキートップを水平状態で上下動させることが可能な低コストのキーボードスイッチを提供することを目的とするものである。
【０００９】
【課題を解決するための手段】
前記課題を解決するための第１の手段として本発明のキーボードスイッチは、キートップと、このキートップと対向する側に絶縁性のフィルムシートを介して配設されたベースプレートと、前記キートップを前記ベースプレートから所定高さの位置に弾性付勢する弾性部材と、前記キートップを前記ベースプレートに対して昇降自在に支持可能な複数のリンク部材と、前記フィルムシートに形成したスイッチ回路とを備え、
前記複数のリンク部材は、一端部が前記キートップに回動自在に支持されると共に他端部が前記ベースプレートにスライド自在に支持される第１リンク部材と、一端部が前記キートップにスライド自在に支持されると共に他端部が前記ベースプレートに回動自在に支持される第２リンク部材と、前記第１、第２リンク部材のそれぞれの中点を連結する第３リンク部材と、前記第１リンク部材の中点に一端部が回動自在に連結されると共に他端部が前記ベースプレートに回動自在に支持される第４リンク部材とからなることを特徴とする。
【００１０】
また、前記課題を解決するための第２の手段として、前記第１、第２リンク部材は、前記一端部から前記他端部までの長さ寸法が同じに形成され、前記キートップに支持されるそれぞれの一端部間の寸法が、前記ベースプレートに支持されるそれぞれの他端部間の寸法より広く形成されていることを特徴とする請求項１記載のキーボードスイッチ。
【００１１】
また、前記課題を解決するための第３の手段として、前記第３リンク部材の長さ寸法は、前記第１または第２リンク部材と同等以上に形成され、前記第４リンク部材の長さ寸法は、前記第１リンク部材の１／２に形成されていることを特徴とする。
【００１２】
また、前記課題を解決するための第４の手段として、前記第１、第２リンク部材部材には、それぞれの前記中点から外方に突出させて、前記第３リンク部材を支持可能な中間支持部がそれぞれ形成されていることを特徴とする。
【００１３】
また、前記課題を解決するための第５の手段として、キートップと、このキートップと対向する側に絶縁性のフィルムシートを介して配設されたベースプレートと、前記キートップを前記ベースプレートから所定高さの位置に弾性付勢する弾性部材と、前記キートップを前記ベースプレートに対して昇降自在に支持可能な複数のリンク部材と、前記フィルムシートに形成したスイッチ回路とを備え、前記複数のリンク部材は、一端部が前記キートップに回動自在に支持されると共に他端部が前記ベースプレートにスライド自在に支持される第１リンク部材と、一端部が前記キートップ側に回動自在に支持されると共に他端部が前記ベースプレート側にスライド自在に支持される第２リンク部材と、前記第１、第２リンク部材のそれぞれの中点を連結する第３リンク部材と、前記第１リンク部材の中点に一端部が回動自在に連結されると共に他端部が前記ベースプレートに回動自在に支持される第４リンク部材とからなり、
前記第１、第２リンク部材は、前記キートップ側に支持されるそれぞれの一端部間の寸法が、ぞれそれの他端部間の寸法と同じに形成されていることを特徴とする。
【００１４】
また、前記課題を解決するための第６の手段として、  前記第１、第２リンク部材は、前記一端部から前記他端部までの長さ寸法が同じに形成され、前記キートップ側に支持されるそれぞれの一端部間の寸法が、前記ベースプレートに支持されるそれぞれの他端部間の寸法と同じに形成されていることを特徴とする。
【００１５】
【発明の実施の形態】
本発明は、パーソナルコンピュータ等の入出力機器に使用されるキーボード装置あるいは入力スイッチ装置に用いて好適なキーボードスイッチに関し、本発明の第１の実施の形態のキーボードスイッチを図１〜図１６に基づいて説明する。
図１は本発明の第１の実施の形態に関するキーボードスイッチの斜視図であり、図２は図１の平面図であり、図３は図１の側面図であり、図４は本発明に係わるキートップの要部断面図であり、図５は図４の下面図であり、図６〜図８は本発明に係わる第１リンク部材を説明する図面であり、図９、図１０は本発明に係わる第３リンク部材を説明する図面であり、図１１は本発明に係わるベースプレートの側面図であり、図１２、図１３は本発明に係わる第４リンク部材を説明する図面であり、図１４は本発明の第１の実施の形態に関するキーボードスイッチの動作を説明する概略図であり、図１５は本発明の第２の実施の形態に関するキーボードスイッチの動作を説明する概略図であり、図１６は本発明の第３の実施の形態に関するキーボードスイッチの動作を説明する概略図である。
【００１６】
まず、本発明のキーボードスイッチ１は、図１〜図３に示すように、最上部に２点鎖線で示すようなキートップ２が配設されている。このキートップ２は、樹脂材料等からなり、図４、図５に示すように、外形が略矩形状に形成され、上壁２ａとこの上壁２ａの操作面２ｅと反対側の外周部を囲むように周壁２ｂが形成されて、キートップ２の裏面側が凹状に形成されている。
前記キートップ２は、周壁２ｂに接して上壁２ａの裏面側に、所定の間隔を有して周壁２ｂと同じ高さに突出して回動支持部２ｃ、２ｃが形成されている。
この回動支持部２ｃ、２ｃに、後述する第１リンク部材３の一端部である上方支持部３ｃを回動自在にスナップ係支可能になっている。
【００１７】
また、キートップ２は、上壁２ａの裏面で、回動支持部２ｃ、２ｃと対向する図示上方に、略Ｌ字状のスライド支持部２ｄ、２ｄが所定の間隔を有して周壁２ｂと同じ高さに突出形成されている。このスライド係支部２ｄ、２ｄに、後述する第２リンク４の一端部である上方支持部４ｃをスライド自在に支持可能になっている。
このようなキートップ２は、第１、第２リンク部材３、４のそれぞれの上方支持部３ｃ、４ｃに支持されて矢印Ａ、Ｂ方向に昇降可能になっている。
【００１８】
また、第１リンク部材３は、樹脂材料等からなり、図６に示すように、下部側が略半円状に切り欠きされた切り欠き部３ａを有する本体部３ｂが形成され、本体部３ａの一端部である図示上部から左右の外方に上方支持部３ｃ、３ｃが突出形成されている。この上方支持部３ｃ、３ｃが、キートップ２の回動支持部２ｃ、２ｃに回動支持可能になっている。
また、本体部３ｂの他端部である図示下部から左右の外方に下方支持部３ｄ、３ｄが突出形成され、この下方支持部３ｄ、３ｄは、後述するベースプレート８のスライド支持部８ｃにスライド自在に支持可能になっている。
【００１９】
また、第１リンク部材３は、上部支持部３ｃと下部支持部３ｄの中点から図示左右の外方に中間支持部３ｅ、３ｅが、上部と下部の支持部３ｃ、３ｄより長く形成されている。
また、第２リンク部材４は、第１リンク部材３と同じ形状と材質なので、第１リンク部材３と同じ図６〜図８を用いて、第２リンク部材４の部番を括弧内に記載して説明する。
まず、第２リンク部材４は、半円状の切り欠き部４ａを有する本体部４ｂが形成され、この本体部４ｂには、上方支持部４ｃ、４ｃ、下方支持部４ｄ、４ｄ、中間支持部４ｅ、４ｅをそれぞれ形成されて、第１リンク部材３と同形状になっている。
そして、第２リンク部材４の上方支持部４ｃ、４ｃが、キートップ２のスライド支持部２ｄ、２ｄにスライド支持可能になっている。また、下方支持部４ｄ、４ｄは、後述するベースプレート８の第２回動支持部８ｂに回動支持可能になっている。
【００２０】
前記第１、第２リンク部材３、４は、それぞれの一端部である上方支持部３ｃ、４ｃがキートップ２に支持されると共に、それぞれの中間支持部３ｅ、４ｅが第３リンク部材５に連結されることにより一体化されるようになっている。
前記第３リンク部材５は、樹脂材料等からなり、図９、図１０に示すように、角棒状のアーム部５ａを有し、このアーム部５ａの図示右端部には、第１リンク部材３のそれぞれの中間支持部３ｅ、３ｅに挿通して係支可能な第１係支孔５ｂが形成されている。
【００２１】
また、第３リンク部材５は、アーム部５ａの左端部に、第２リンク部材４のそれぞれの中間支持部４ｅ、４ｅに挿通して係支可能な第２係支孔５ｃが、略Ｌ字状に突出させた突部５ｄに貫通形成され、突部５ｄが三ツ割状に形成されている。
前記第３リンク部材５に連結された第１、第２リンク部材３、４は、それぞれの上方支持部３ｃ、４ｃを、キートップ２の回動支持部２ｃとスライド支持部２ｄとに支持すると、図３に示すように、側面視が逆ハ字状になるようになっている。
【００２２】
また、キートップ２に支持して、側面視が逆ハ字状になった第１、第２リンク部材３、４は、互いに対向する切り欠き部３ａ、４ａ間に挟まれた部分に、内部がドーム状の空洞部（図示せず）が形成された弾性部材であるラバースプリング６が配設され、このラバースプリング６が後述するフィルムシート７に接着剤等で接着されて固着されている。
前記ラバースプリング６の空洞部内の天井部には、可動接点部（図示せず）が形成されて、後述するフィルムシート７の固定接点部に導通することによりスイッチ回路を切り換え可能になっている。
【００２３】
また、第１、第２リンク部材３、４の他端部であるそれぞれの下方支持部３ｄ、４ｄは、フィルムシート７を介して金属板等からなるベースプレート８に支持されている。
前記フィルムシート７は、例えば表面にラバースプリング６の可動接点部（図示せず）が接触して導通可能な、所定の隙間を有して互いに絶縁された一対の固定接点部（図示せず）が形成されている。
即ち、本発明のキーボードスイッチ１は、可動接点部と固定接点部とからなるスイッチ回路が形成され、キートップ２の押圧操作により可動接点が固定接点に導通してスイッチ回路が切り換わるようになっている。
【００２４】
また、ベースプレート８は、図１１に示すように、一部分を一方側に切り起こしして、それぞれ一対の第１回動支持部８ａと第２回動支持部８ｂとが形成され、この第２回動支持部８ｂにスライド支持部８ｃが一体形成されている。
また、第１リンク部材３は、第３リンク部材５の  第１係支孔５ｂを係支した状態の中間支持部３ｅに第４リンク部材９が支持されている。
この第４リンク部材９は、樹脂材料等からなり、図１２、図１３に示すように、縦長状の本体部９ａを有し、この本体部９ａの一端部側である図示上部に、第１リンク部材３の中間支持部３ｅ、３ｅに挿通可能な上方支持部９ｂが貫通成され、他端部側である図示下部に、ベースフレーム８の第１回動支持部８ａに回動支持可能な下方支持部９ｃが突出形成されて、外形が略Ｌ字状になっている。
そして、第４リンク部材９の上方支持部９ｂを嵌合させて支持した第１リンク部材３の中間支持部３ｅ、３ｅの外側には、第３リンク部材５の第１係支孔５ｂを嵌合させて係支可能になっている。
【００２５】
また、キートップ２とベースプレート８とにそれぞれの一端部と他端部とを支持した第１、第２リンク部材３、４は、れぞれの一端部である上方支持部３ｃ、４ｃ間の寸法が、ぞれそれの他端部である３ｄ、４ｄ間の寸法より広く形成されて、図３に示すように、側面視が逆ハの字状になっている。
また、第１、第２リンク部材３、４は、上方支持部３ｃ、４ｃから下方支持部３ｄ、４ｄまでの長さ寸法が同じに形成され、第３リンク部材５の長さ寸法は、第１、第２リンク部材の前記長さ寸法と同等以上に形成され、第４リンク部材９の長さ寸法は、第１、第２リンク部材３、４の１／２に形成されている。
【００２６】
前述したような本発明の第１の実施の形態のキーボードスイッチ１の組立を、図１４の概略図で説明すると、まず、第１リンク部材３の中点である中間支持部３ｅに第４リンク部材９の上方支持部９ｂを支持すると共に、第４リンク部材９の外側に突出する中間支持部３ｅに、第３リンク部材５の第１係支孔５ｂを挿通して係支する。
また、第２リンク部材４の中間支持部４ｅに、第３リンク部材５の第２係支孔５ｃを挿通して係支することにより、第１、第２リンク部材３、４が連結されて一体化される。
また、弾性部材であるラバースプリング６は、事前にフィルムシート７の固定接点部が形成された部分に接着剤等で固着されている。
【００２７】
次に、第１リンク部材３の一端部である上方支持部３ｃを、キートップ２の回動支持部２ｃに回動支持すると共に、他端部である下方支持部３ｄをベースプレート８のスライド支持部８ｃにスライド支持する。
また、第４リンク部材９の他端部の下方支持部９ｃを、ベースプレート８の第１回動支持部８ａに回動支持する。
また、第２リンク部材４の一端部である上方支持部４ｃを、キートップ２のスライド支持部２ｄにスライド支持すると共に、他端部である下方支持部４ｄをベースプレート８の第２回動支持部８ｂに回動支持する。
すると、キートップ２がラバースプリング６に弾性付勢されてベースプレート８から所定量上昇した初期状態に位置するようになっている。
【００２８】
このように組み立てられた本発明の第１の実施の形態のキーボードスイッチ１の操作を、図１４の概略図で説明すると、まず、ラバースプリング６の弾性力で初期状態にあるキートップ２を矢印Ｂの下方に押圧操作する。
すると、第１リンク部材３は、上方支持部３ｃがベースプレート８側に垂直降下すると共に、下方支持部３ｄが矢印Ｃ方向にスライドすることにより、第３リンク部材５が第２リンク部材４の中間支持部４ｅを図示左方向に押圧して、第２リンク部材４の上方支持部４ｃが矢印Ｄ方向にスライドする。
【００２９】
このことにより、第１、第２、第４リンク部材３、４、９が、それぞれベースプレート８と平行になる方向に傾倒してキートップ２が水平状態で降下する。
それと共に、降下するキートップ２がラバースプリング６を押圧して、ラバースプリング６が弾性変形することにより、ラバースプリング６の空洞部内の天井部に形成した可動接点部（図示せず）がフィルムシート７に形成している固定接点部（図示せず）に接触して導通することにより、スイッチ回路が切り換わる。
その後、キートップ２に加えていた押圧力を解除すると、ラバースプリング６の弾性力でキートップ２が矢印Ａの上方に上昇して初期状態に自動復帰すると共にスイッチ回路も初期状態に切り換わるようになっている。
また、キートップ２の押圧位置が、上壁２ａの中央部でなく端部側であったとしても、キートップ２は、それぞれのリンク部材３、４、５、９の作用で水平状態で昇降するようになっている。
【００３０】
また、本発明の第２の実施の形態のキーボードスイッチ１１を、図１５に示す概略図に基づいて説明する。そして、第１の実施の形態のキーボードスイッチ１と部材は同じ番号を付して説明する。
まず、第１リンク部材３の中間支持部３ｅには、第４リンク部材９の上方支持部９ｂが支持されると共に、第３リンク部材５の第１係支孔５ｂが挿通されて係支されている。
また、第２リンク部材４の中間支持部４ｅには、第３リンク部材５の第２係支孔５ｃが係支されて、第１、第２リンク部材３、４が第３リンク部材５で連結されて一体化されている。
【００３１】
また、第１リンク部材３は、上方支持部３ｃがキートップ１２の第１回動支持部１２ｂに回動支持されると共に、下方支持部３ｄがベースプレート１８の第１スライド支持部１８ａにスライド支持されて矢印Ｅ方向にスライド移動可能になっている。
また、第１リンク部材３の中間支持部３ｅに上方支持部９ｂを回動支持した第４リンク部材９は、下方支持部９ｃがベースプレート１８の回動支持部１８ｂに回動支持されている。
【００３２】
また、第２リンク部材４は、上方支持部４ｃがキートップ１２の第２回動支持部１２ｃに回動支持されていると共に、下方支持部４ｄがベースプレート１８の第２スライド支持部１８ｃにスライド支持されて矢印Ｅ方向にスライド移動可能になっている。
このような本発明の第２の実施の形態のキーボードスイッチ１１は、第１の実施の形態と同様に、キートップ１２を押圧操作すると、キートップ１２が水平状態で降下して、フィルムシート７のスイッチ回路が切り換わるようになっている。
【００３３】
また、本発明の第３の実施の形態のキーボードスイッチ１１を、図１６に示す概略図に基づいて、第１の実施の形態のキーボードスイッチ１と部材は同じ番号を付して説明する。
まず、第１リンク部材３の中間支持部３ｅには、第４リンク部材９の上方支持部９ｂが支持されると共に、第３リンク部材５の第１係支孔５ｂが係支されている。また、第２リンク部材４の中間支持部４ｅには、第３リンク部材５の第２係支孔５ｃが係支されて、第１、第２リンク部材３、４が第３リンク部材５に連結されて一体化されている。
【００３４】
また、第１リンク部材３は、上方支持部３ｃがキートップ３２の第１回動支持部３２ｂに回動支持されると共に、下方支持部３ｄがベースプレート３８の第１スライド支持部３８ａにスライド支持されて矢印Ｆ方向にスライド移動可能になっている。また、第１リンク部材３の中間支持部３ｅに上方支持部９ｂを回動支持した第４リンク部材９は、下方支持部９ｃがベースプレート３８の回動支持部３８ｂに回動支持されている。
【００３５】
また、第２リンク部材４は、上方支持部４ｃがキートップ３２の第２回動支持部３２ｃに回動支持されると共に、下方支持部４ｄがベースプレート３８の第２スライド支持部３８ｃにスライド支持されて矢印Ｆ方向にスライド移動可能になっている。
このような本発明の第３の実施の形態のキーボードスイッチ３１は、第１の実施の形態と同様に、キートップ３２を押圧操作すると、キートップ３２が水平状態で降下して、フィルムシート７のスイッチ回路が切り換わるようになっている。
【００３６】
また、本発明の第１、第２の実施の形態では、フィルムシート７を１枚シートで説明したが、図示を省略するが、スペーサーシートを挟んで上下に対向させて一対のフィルムシート７、７を配設し、この一対のフィルムシート７、７の互いに対向する部分に接点部を形成し、この接点部形成部分をラバースプリング６が押圧することによりスイッチ回路が切り換わるようにしたものでも良い。
また、本発明の第１、第２の実施の形態では、第１、第２リンク部材３、４の下方支持部３ｄ、４ｄ及び第４リンク材９の下方支持部９ｃを、フィルムシート７を介してベースプレート８上に位置させたもので説明したが、ベースプレート８上に直接位置させたものでも良い。
【００３７】
【発明の効果】
以上述べたように、本発明の第１の実施の形態の複数のリンク部材は、一端部がキートップに回動自在に支持されると共に他端部がベースプレートにスライド自在に支持される第１リンク部材と、一端部がキートップにスライド自在に支持されると共に他端部がベースプレートに回動自在に支持される第２リンク部材と、第１、第２リンク部材のそれぞれの中点を連結する第３リンク部材と、第１リンク部材の中点に一端部が回動自在に連結されると共に他端部がベースプレートに回動自在に支持される第４リンク部材とからなるので、少ない部品点数で、キートップを水平状態でベースプレート側に降下させることができる。
そのために、キートップの押圧操作により、スイッチ回路を確実に切り換えることができ、操作性に優れたキーボードスイッチを提供できる。
【００３８】
また、第１、第２リンク部材は、一端部から他端部までの長さ寸法が同じに形成され、キートップに支持されるそれぞれの一端部間の寸法が、前記ベースプレートに支持されるそれぞれの他端部間の寸法より広く形成されているので、キートップを水平状態で確実に昇降させることができる。
また、第１、第２リンク部材を、共通化することができる。
【００３９】
また、第３リンク部材の長さ寸法は、第１または第２リンク部材と同等以上に形成され、第４リンク部材の長さ寸法は、第１リンク部材の１／２に形成されているので、キートップを水平状態で、更に確実に昇降させることができる。
【００４０】
また、第１、第２リンク部材部材には、それぞれの中点から外方に突出させて、第３リンク部材を支持可能な中間支持部がそれぞれ形成されているので、中間支持部で、第３リンク部材を連結して一体化することができ組み立て性が良い。
【００４１】
また、第２の実施の形態の第１、第２リンク部材は、キートップ側に支持されるそれぞれの一端部間の寸法が、ぞれそれの他端部間の寸法と同じに形成されているので、キートップを押圧操作することにより、第１の実施の形態と同様に、キートップを水平状態でベースプレート側に降下させることができる。
【００４２】前
また、第１、第２リンク部材は、一端部から他端部までの長さ寸法が同じに形成され、キートップ側に支持されるそれぞれの一端部間の寸法が、ベースプレートに支持されるそれぞれの他端部間の寸法と同じに形成されているので、第１の実施の形態と同様に、キートップを水平状態でベースプレート側に降下させることができる。
【図面の簡単な説明】
【図１】本発明の第１の実施の形態に関するキーボードスイッチの斜視図である。
【図２】図１の平面図である。
【図３】図１の側面図である。
【図４】本発明に係わるキートップの要部断面図である。
【図５】図４の下面図である。
【図６】本発明に係わる第１リンク部材を説明する図面である。
【図７】本発明に係わる第１リンク部材を説明する図面である。
【図８】本発明に係わる第１リンク部材を説明する図面である。
【図９】本発明に係わる第３リンク部材を説明する図面である。
【図１０】本発明に係わる第３リンク部材を説明する図面である。
【図１１】本発明に係わるベースプレートの側面図である。
【図１２】本発明に係わる第４リンク部材を説明する図面である。
【図１３】本発明に係わる第４リンク部材を説明する図面である。
【図１４】本発明の第１の実施の形態に関する動作を説明する概略図である。
【図１５】本発明の第２の実施の形態に関する動作を説明する概略図である。
【図１６】本発明の第３の実施の形態に関する動作を説明する概略図である。
【図１７】従来のキーボードスイッチの概略図である。
【符号の説明】
１  第１の実施の形態のキーボードスイッチ
２  キートップ
２ｃ  回動支持部
２ｄ  スライド支持部
３  第１リンク部材
３ａ  本体部
３ｂ  切り欠き部
３ｃ  上方支持部
３ｄ  下方支持部
３ｅ  中間支持部
４  第２リンク部材
４ａ  本体部
４ｂ  切り欠き部
４ｃ  上方支持部
４ｄ  下方支持部
４ｅ  中間支持部
５  連結部材
５ａ  アーム部
５ｂ  第１係支孔
５ｃ  第２係支孔
６  ラバースプリング
７  フィルムシート
８  ベースプレート
８ａ  第１回動支持部
８ｂ  第２回動支持部
８ｃ  スライド支持部
９  第４リンク部材
９ａ  本体部
９ｂ  上方支持部
９ｃ  下方支持部
【図１】
2004281139.tif 000003
【図２】
2004281139.tif 000004
【図３】
2004281139.tif 000005
【図４】
2004281139.tif 000006
【図５】
2004281139.tif 000007
【図６】
2004281139.tif 000008
【図７】
2004281139.tif 000009
【図８】
2004281139.tif 000010
【図９】
2004281139.tif 000011
【図１０】
2004281139.tif 000012
【図１１】
2004281139.tif 000013
【図１２】
2004281139.tif 000014
【図１３】
2004281139.tif 000015
【図１４】
2004281139.tif 000016
【図１５】
2004281139.tif 000017
【図１６】
2004281139.tif 000018
【図１７】
2004281139.tif 000019